(57)【要約】      （修正有）【課題】ウィートグラスの植栽において、植える手間がかかる、植える環境が制限を受ける、などの問題点を改善することが可能な耳掛け式植栽構造を提供する。【解決手段】耳掛け式植栽構造１は、濾水袋体１０、複数の耳掛け部材１２及び植栽物１４を備える。濾水袋体１０は、浸透作用を有する材料からなり、内部には植栽物１４を収容する収容空間が形成される。各耳掛け部材１２は、濾水袋体１０の外表面に配設される。濾水袋体１０は、親水性コットン、植物粉末又は再生親水性材料からなる。濾水袋体１０の表面上には、植栽物１４の粒径より小さな孔径を有する複数の穿孔１０２が形成されている。濾水袋体１０の収容空間の開口部には、封緘部１１が設けられる。封緘部１１が設けられた濾水袋体１０の表面上には、環状引き裂き構造１１０が設けられる。耳掛け部材１２は、濾水袋体１０の両側に対をなすように配設される。植栽物１４はウィートグラスである。【選択図】図１
0003234811.tif 000002
【実用新案登録請求の範囲】
【請求項１】
濾水袋体、複数の耳掛け部材及び植栽物を備えた、耳掛け式植栽構造であって、
前記濾水袋体は、浸透作用を有する材料からなり、前記濾水袋体の内部には、前記植栽物を収容する収容空間が形成され、各前記耳掛け部材は、前記濾水袋体の外表面に配設されることを特徴とする、耳掛け式植栽構造。
【請求項２】
前記濾水袋体は、親水性コットン、植物粉末又は再生親水性材料からなることを特徴とする請求項１に記載の耳掛け式植栽構造。
【請求項３】
前記濾水袋体の表面上には、前記植栽物の粒径より小さな孔径を有する複数の穿孔が形成されていることを特徴とする請求項１に記載の耳掛け式植栽構造。
【請求項４】
前記濾水袋体の前記収容空間の開口部には、封緘部が設けられ、
前記封緘部が設けられた前記濾水袋体の表面上には、環状引き裂き構造が設けられることを特徴とする請求項１に記載の耳掛け式植栽構造。
【請求項５】
前記耳掛け部材は、前記濾水袋体の両側に対をなすように配設されることを特徴とする請求項１に記載の耳掛け式植栽構造。
【請求項６】
前記植栽物はウィートグラスであることを特徴とする請求項１に記載の耳掛け式植栽構造。
【考案の詳細な説明】
【技術分野】
【０００１】
本考案は、植栽に関するものであり、さらに詳しくは、耳掛け式植栽構造に関するものである。
【背景技術】
【０００２】
ウィートグラス（Ｗｈｅａｔｇｒａｓｓ）は、中国の書物である「本草綱目」に記載されているように様々な効果を有する。また、ウィートグラスのジュースには、解熱消炎、消化不良改善、胃腸を整えて便通を改善するなど優れた効果があることが昔から知られている。
【０００３】
現代人は身体の健康を非常に重視し、ウィートグラスから作られたウィートグラスジュースを飲用し、近年非常に人気のある健康的な食べ物となっている。ウィートグラスには、緑の血液とも呼ばれる葉緑素を豊富に含み、健康及び活力を高めるために摂取されることが多く、ジュースの形態以外に乾燥・粉砕した粉末状の膠嚢又は粉剤としても提供されている。
【０００４】
ウィートグラスは、パン粉麥（Ｔｒｉｔｉｃｕｍ  ａｅｓｔｉｖｕｍ）の嫩葉であり、ビタミン、ミネラル、酵素、アミノ酸、バイオフラボノイド、多糖体及び大量の葉緑素（７０％）が豊富に含まれる。関連文献が指摘しているように、麥草には、抗腫瘍、抗アポトーシス、抗増殖、抗酸化などの作用を有する。悪性腫瘍、関節リウマチ、潰瘍、サラセミアを含む各種変性疾患に対して有利である。
【０００５】
ウィートグラスは、上述したような有利な効果を多く有するため、自らウィートグラスを植える者が多くなってきたが、ウィートグラスを自ら植えてジュースにして飲用すると、植える量が多くなくても鉢を使用しなければならないため、鉢が広いスペースをとる上、土壌を使用しなければならない。そのため、植える手間がかかる上、植える環境が制限を受けた。
【考案の概要】
【考案が解決しようとする課題】
【０００６】
従って、本考案の課題は、前記の如き従来技術の問題点を改善することが可能な耳掛け式植栽構造を提供することにある。
【課題を解決するための手段】
【０００７】
上記課題を解決するために、本考案の第１の形態によれば、濾水袋体、複数の耳掛け部材及び植栽物を備えた、耳掛け式植栽構造であって、前記濾水袋体は、浸透作用を有する材料からなり、前記濾水袋体の内部には、前記植栽物を収容する収容空間が形成され、各前記耳掛け部材は、前記濾水袋体の外表面に配設されることを特徴とする、耳掛け式植栽構造を提供する。
【図面の簡単な説明】
【０００８】
【図１】本考案の一実施形態に係る耳掛け式植栽構造を示す斜視図である。
【図２】本考案の一実施形態に係る耳掛け式植栽構造の濾水袋体をコップに掛けて使用するときの状態の説明図である。
【図３】本考案の一実施形態に係る耳掛け式植栽構造の濾水袋体中の植栽物に潅水するときの状態の説明図である。
【図４】本考案の一実施形態に係る耳掛け式植栽構造の濾水袋体中の植栽物に潅水するときの状態の説明図である。
【考案を実施するための形態】
【０００９】
本考案の技術手段及びそれにより達成可能な効果を、より完全かつ明白に開示するために、開示した添付の図面及び符号と併せて本考案を以下に詳説する。もっとも、本考案は、かかる図面等により限定されるものではない。
【００１０】
図１を参照する。図１は、本考案の一実施形態に係る耳掛け式植栽構造を示す斜視図である。図１に示すように、本考案の一実施形態に係る耳掛け式植栽構造１は、少なくとも濾水袋体１０（ウィートグラス）、複数の耳掛け部材１２及び植栽物１４から構成されてなる。濾水袋体１０は、浸透作用を有する材料からなる。濾水袋体１０の内部には、植栽物１４を収容する収容空間１００（図２を参照する）が形成されている。各耳掛け部材１２は、濾水袋体１０の外表面に配設される。
【００１１】
濾水袋体１０は、親水性コットン、植物粉末又は再生親水性材料からなる上、その表面上には、植栽物の粒径より小さな孔径を有する複数の穿孔１０２が形成されている。濾水袋体１０の収容空間１００の開口部には、封緘部１１が設けられる。封緘部１１が設けられた濾水袋体１０の表面上には、環状引き裂き構造１１０が設けられる。前述した耳掛け部材１２は、濾水袋体１０の両側に対をなすように配設される。
【００１２】
図２〜図４を参照する。図２は、本考案の一実施形態に係る耳掛け式植栽構造の濾水袋体をコップに掛けて使用するときの状態の説明図である。図３は、本考案の一実施形態に係る耳掛け式植栽構造の濾水袋体中の植栽物に潅水するときの状態の説明図である。図４は、本考案の一実施形態に係る耳掛け式植栽構造の濾水袋体中の植栽物に潅水するときの状態の説明図である。図２〜図４に示すように、実際に使用する際、まず、濾水袋体１０上の封緘部１１の環状引き裂き構造１１０を切り開いて耳掛け部材１２を引き離してコップ２上に掛け、コップ２中に濾水袋体１０を入れ、使用者は、濾水袋体１０中の植栽物１４に水を直接かけると、多すぎる水がコップ２中に滴り落ちる。濾水袋体１０が浸透作用を有する材料からなるため、濾水袋体１０内に水が溜まってしまい、水に浸った植栽物１４が腐ってしまうことを防ぐことができる。
【００１３】
また、濾水袋体１０の表面上の穿孔１０２の孔径が植栽物１４（ウィートグラス）の種子の粒径より小さいため、穿孔１０２から種子が落下してしまうことを防ぐことができる。
【００１４】
上述したことから分かるように、本考案の耳掛け式植栽構造１は、耳掛け部材１２をコップ２上に直接掛け、濾水袋体１０中のウィートグラスに水を与えるが、水をコップにより直接受けることができるため、何時でも植栽したり取出したりすることができる。
【符号の説明】
【００１５】
１  耳掛け式植栽構造
２  コップ
１０  濾水袋体
１１  封緘部
１２  耳掛け部材
１４  植栽物
１００  収容空間
１０２  穿孔
１１０  環状引き裂き構造
【図１】
0003234811.tif 000003
【図２】
0003234811.tif 000004
【図３】
0003234811.tif 000005
【図４】
0003234811.tif 000006